(57)【要約】【課題】表面に形成する導電パターンの形状を工夫することで、回路基板の周波数特性に依存した不要磁界の発生を抑制出来る信号伝送装置を提供する。【解決手段】互いに対向しない位置に配された、少なくとも一対の信号伝送端子ＴＩ、ＴＯと、これらを接続する導電パターンＰＡとを表面Ａに形成し、裏面Ｂには、導電パターンＰＡを含む広がりを有したグランドパターンＰＢを形成した信号伝送装置１であって、導電パターンＰＡが一対の信号伝送端子ＴＩ、ＴＯを最短直線路で結ぶ形状に形成されている。【選択図】図１
2006093599.tif 000002
【特許請求の範囲】
【請求項１】
互いに対向しない位置に配された、少なくとも一対の信号伝送端子と、これらを接続する導電パターンとを表面に形成し、裏面には、上記導電パターンを含む広がりを有したグランドパターンを形成した信号伝送装置において、
上記導電パターンは、上記一対の信号伝送端子を最短直線路で結ぶ形状に形成されている信号伝送装置。
【発明の詳細な説明】
【技術分野】
【０００１】
本発明は、回路基板上の一方面に設けた一対の信号伝送端子を導電パターンで接続した構造の信号伝送装置の改良に関する。
【背景技術】
【０００２】
従来、一対の信号伝送端子を互いに対向しない位置に回路基板上に配した信号伝送装置では、回路設計上の観点などから、導電パターンも途中で折り曲げた形状に形成されているが（図３の模式図参照）、このような回路基板では、伝送する信号の周波数によっては、回路基板上に悪影響を与えるノイズ磁界を生じる電流ループを生じてしまうことがあった。
【０００３】
次の特許文献１には、高周波電流によって発生する磁界を抑制し、放射ノイズを軽減するプリント基板のパターン配線方法が記載されている。
【特許文献１】特開平８−２７４４２７号公報
【発明の開示】
【発明が解決しようとする課題】
【０００４】
図３に示した伝送装置１００は、一対の信号伝送端子ＴＩ、ＴＯと、これらを接続する導電パターンＰａとを表面Ａに形成し、裏面Ｂの前面にはグランドに接続したグランドパターンＰｂ（以下、グランドベタパターンという）を形成している。
【０００５】
このような伝送装置１００は、例えば、入力側の信号伝送端子ＴＩはマイコン（不図示）に接続され、出力側の信号伝送端子ＴＯにはＬＣＤ表示ユニット（ＬＣＤ）に接続され、両端子ＴＩ、ＴＯ間にはパルス電圧が信号伝送されるが、この信号伝送時に、往路Ｒａでは、パルス電圧の立ち上がりと立下りで異なる方向の電流が発生し、これに対して、復路Ｒｂでは、基板を通じて、往路Ｒａとは逆方向の電流が流れ、この場合の復路Ｒｂの電流は、基板のグランドパターンＰｂのうちで最もインピーダンスの低い経路を通って、グランド端子に流れ込む。
【０００６】
そのために、伝送端子ＴＩ、ＴＯ間にパルス電圧が伝送されるたびに、流れが反転するループ電流が生じるが、このループ電流は、表面Ａでは導電パターンＰａに沿って流れる（往路）のに対して、裏面Ｂでは、伝送端子ＴＩ、ＴＯを最短距離で結ぶ経路Ｒｂに沿ってグランド端子（不図示）に流れ込む（復路）ため、磁界を発生させる電流ループが大きくなり、それに伴って生じる磁束も大きくなってしまう。その結果、回路基板上に実装されている電子部品、例えば回路素子（ＩＣ）に悪影響を与えている。
【０００７】
本発明者らの実験によれば、例えば、１０ＭＨｚと２００ＭＨｚのパルス信号を伝送した場合、２００ＭＨｚの場合はノイズの悪影響はほとんど見られないものの、１０ＭＨｚの信号伝送時には、電子部品に対して無視できない磁界を生じた。そこで、これを改善するため、種々の検討がなされ、本発明に到達したものである。
【０００８】
したがって、本発明は、以上のような問題を解決するためになされたもので、その目的とするところは、回路基板上で電圧パルス信号を送受信する際に、回路基板の周波数特性に依存して発生する磁界を効果的に抑制できる信号伝送装置を提供することにある。
【課題を解決するための手段】
【０００９】
上記目的を達成するために、請求項１に記載の信号伝送装置は、互いに対向しない位置に配された、少なくとも一対の信号伝送端子と、これらを接続する導電パターンとを表面に形成し、裏面には、導電パターンを含む広がりを有したグランドパターンを形成した信号伝送装置において、導電パターンの形状を、一対の信号伝送端子を最短直線路で結ぶ形状にしている。
【発明の効果】
【００１０】
請求項１に記載の信号伝送装置によれば、一対の信号伝送端子間に信号を送った場合に、表面の電流が、裏面のグランドパターンと同じ最短経路を流れるように導電パターンの形状を特定しているため、パルス電圧の立ち上がり、立下り時点で発生する電流ループは、回路基板の表、裏面を平面視すれば、ほとんど重合する。そのために電流ループは大きくならず、発生する磁界も回路基上の電子部品に悪影響を与えない。
【発明を実施するための最良の形態】
【００１１】
以下に、本発明の最良の実施の形態について、図面とともに説明する。
【実施例１】
【００１２】
図１は、本発明の信号伝送装置の一例を模式的に示したものである。
【００１３】
この図においては、信号伝送装置１は、互いに対向しない位置に配された、一対の信号伝送端子ＴＩ、ＴＯと、これらを接続する導電パターンＰＡとを基板１０の表面Ａに形成し、裏面Ｂには、グランドに接続された導電パターンＰＢをグランドパターンとして形成している。
【００１４】
入力側の信号伝送端子ＴＩはマイコン（不図示）に接続され、出力側の信号伝送端子ＴＯには液晶ディスプレイ（ＬＣＤ）などが接続されている。信号伝送端子ＴＩ、ＴＯ間には、１０ＭＨｚと２００ＭＨｚの異なる周波数の電圧パルスが伝送され、信号伝送の中継基板として構成されている。なお、ＩＣは他の回路素子ＩＣであり、表面Ａに実装されている。
【００１５】
本願発明では、図示するように、導電パターンＰＡは、一対の信号伝送端子ＴＩ、ＴＯを結ぶ最短の直線路となっている。
【００１６】
このような構造であれば、両端子ＴＩ、ＴＯ間にパルス電圧を信号として送ると、往路ＲＡでは、パルス電圧の立ち上がりと立下りで異なる方向の電流が発生する。これに対して、復路ＲＢでは、基板１０を通じて、往路ＲＡとは逆方向の電流が流れるが、この電流は、基板１０のグランドパターンのうちで最もインピーダンスの低い箇所を通って、グランド端子（不図示）に流れ込む。本発明者らの知見によれば、このとき裏面の復路は、グランドパターンＰＢのうちで最もインピーダンスの低い最短直線路ＲＢであるから、平面視したときに導電パターンＰＡ（往路ＲＡ）と復路ＲＢとは重合する。
【００１７】
図１の例では、裏面Ｂのほぼ全体にグランド接続された導電パターンＰＢを形成した、いわゆるグランドベタパターンに形成したものを想定したが、本発明は、これには限定されず、図２に示すように、最もインピーダンスの低い箇所を含む裏面Ｂの一部のみを導電パターンＰＢ´として形成したもの、裏面の全体に形成したグランドパターンの一部に絶縁部を設け、復路となる導電パターンを形成したものであってもよい。なお、この図２は、表面側から裏面側を透視したもので、裏面Ｂの外周、裏面Ｂの復路の電流ＲＢ、および裏面ＢのグランドパターンＰＢ´を破線で示している。
【００１８】
以上のような本発明では、信号伝送端子間に電圧パルスを通じたときに、表面の導電パターン（往路）に電流が流れ、そのとき回路基板を通じて、裏面の導電パターンにも電流が流れるが、この電流は、回路基板の周波数特性に強く依存するので、そのような特性に依存した特定の周波数のときには大きいループ電流が流れて、悪影響を与える磁界が発生するものと推察される。
【００１９】
ところが、本発明によれば、信号伝送端子間を伝送させる電圧パルスが、大きなループ電流が流れると予想される周波数のときであっても、平面視で往路と復路は重なるため、発生する磁束も大きくならず、そのため、基板上の回路素子に対するノイズの発生を防止することができるものと思われる。
【図面の簡単な説明】
【００２０】
【図１】本発明の信号伝送装置の一例を模式的に示した図である。
【図２】裏面に形成されるグランドパターンの他例を示した模式図である。
【図３】従来の信号伝送装置の一例を模式的に示した図である。
【符号の説明】
【００２１】
１      信号伝送装置
１０      基板
ＴＩ      入力側の信号伝送端子
ＴＯ      出力側の信号伝送端子
ＰＡ      導電パターン
ＰＢ      グランドパターン
ＲＡ      往路
ＲＢ      復路
ＬＣＤ      ＬＣＤ表示ユニット
ＩＣ      回路素子
【図１】
2006093599.tif 000003
【図２】
2006093599.tif 000004
【図３】
2006093599.tif 000005